(57)【要約】【課題】開封用の切取線を有する包装箱に、容易に開封されてしまうことを防止するロック機能を持たせる。【解決手段】第１シート部１１に設けられた被押し込み部１１ａが外側から押し込まれ、該被押し込み部１１ａの縁部に沿って設けられた第１切取線２１に沿って被押し込み部１１ａが第１シート部１１から切り離されることで開封される包装箱１において、第１シート部１１の内側に重ねられる第２シート部１２を設けて、第２シート部１２に、包装箱１の開封を規制するように第１切取線２１の被ロック部２１ａの内側に重ねられるロック部３０と、該ロック部３０を第２シート部１２から切り離すためにロック部３０の縁部に設けられた第２切取線２２と、を設ける。【選択図】図６
2014227226.tif 000002
【特許請求の範囲】
【請求項１】
第１シート部に設けられた被押し込み部が外側から押し込まれ、該被押し込み部の縁部に沿って設けられた第１切取線に沿って前記被押し込み部が第１シート部から切り離されることで開封される包装箱であって、
第１シート部の内側に重ねられる第２シート部を備え、
第２シート部は、前記包装箱の開封を規制するように第１切取線の被ロック部の内側に重ねられるロック部と、該ロック部を第２シート部から切り離すために前記ロック部の縁部に設けられた第２切取線と、を有することを特徴とする包装箱。
【請求項２】
前記ロック部は、前記包装箱の外側に突出する摘まみ部を有することを特徴とする請求項１に記載の包装箱。
【請求項３】
前記摘まみ部の先端に折り目を介して連なり、該摘まみ部の外側に折り重ねられる折返し部を備えたことを特徴とする請求項２に記載の包装箱。
【請求項４】
第１シート部に折り目を介して連なり、第２シート部の内側に折り重ねられる第３シート部を更に備え、
第１シート部と第３シート部との境界に、前記摘まみ部及び前記折返し部が貫通するスロットが設けられ、
前記ロック部に、該ロック部が第２シート部から切り離されたときに前記境界の折り目部分に係止可能なストッパが設けられていることを特徴とする請求項３に記載の包装箱。
【請求項５】
前記折返し部は前記スロットを通過可能であり、
前記ロック部のストッパは、前記折返し部全体が前記包装箱の外側に引き出された状態で前記境界の折り目部分に係止されるように設けられていることを特徴とする請求項４に記載の包装箱。
【請求項６】
前記折返し部に、前記ロック部が第２シート部から切り離されたときに前記境界の折り目部分に係止可能なストッパが設けられていることを特徴とする請求項４に記載の包装箱。
【請求項７】
前記摘まみ部に、前記包装箱を吊り下げるための吊り下げ部材に係合可能な係合部が設けられていることを特徴とする請求項２〜６のいずれか１項に記載の包装箱。
【発明の詳細な説明】
【技術分野】
【０００１】
本発明は、開封用の切取線を有する包装箱に関する。
【背景技術】
【０００２】
特許文献１等に開示されているように、包装箱の一部をミシン目状又はジッパー状等の切取線に沿って切り離すことで開封される包装箱が知られている。この種の包装箱では、開封の痕跡が一目で分かるため、人為的な異物の混入や改変などの改ざんを容易に防止できる。
【先行技術文献】
【特許文献】
【０００３】
【特許文献１】特開平１１−１５２１３１号公報
【発明の概要】
【発明が解決しようとする課題】
【０００４】
ところで、医薬品を収容する瓶型の容器やＰＴＰ（press through pack）包装の分野では、子供による医薬品の誤飲を防止するために、下方へ押さえ付けながらでなければ容器の蓋を回せないようにしたり、ＰＴＰ包装のアルミ箔の外側に積層された保護フィルムを剥がしてからでなければアルミ箔が破れないようにしたりすることで、敢えて容易に開封できないようにする包装技術（所謂チャイルドレジスタンス）が採用されることがある。
【０００５】
しかしながら、上述したような開封用の切取線を有する包装箱については、チャイルドレジスタンスを採用したものが知られておらず、子供でも容易に開封できてしまう。また、この種の包装箱では、搬送中や陳列中等に、開封用の切取線近傍に局所的に大きな負荷が加えられると、誤って開封されてしまうこともある。
【０００６】
そこで、本発明は、開封用の切取線を有する包装箱に、容易に開封されてしまうことを防止するロック機能を持たせることを課題とする。
【課題を解決するための手段】
【０００７】
上記課題を解決するため、本発明に係る包装箱は、
第１シート部に設けられた被押し込み部が外側から押し込まれ、該被押し込み部の縁部に沿って設けられた第１切取線に沿って前記被押し込み部が第１シート部から切り離されることで開封される包装箱であって、
第１シート部の内側に重ねられる第２シート部を備え、
第２シート部は、前記包装箱の開封を規制するように第１切取線の被ロック部の内側に重ねられるロック部と、該ロック部を第２シート部から切り離すために前記ロック部の縁部に設けられた第２切取線と、を有することを特徴とする。
【発明の効果】
【０００８】
本発明に係る包装箱では、第１シート部の第１切取線の被ロック部の内側に、第２シート部のロック部が重ねられることで、第１シート部の被押し込み部が外側から押し込まれても、第１切取線に沿った被押し込み部の切り離しがロック部によって阻止されるため、包装箱が容易に開封されることを防止できる。また、ロック部によるロックを解除するためには、第２シート部の第２切取線に沿って第２シート部からロック部を切り離して、第１切取線の被ロック部に重ならない位置へロック部を動かす必要があるが、このようなロック解除操作は子供には困難である。そのため、例えば医薬品等が包装されている場合、子供が包装箱を開封して医薬品等を誤飲することを確実に防止できる。
【図面の簡単な説明】
【０００９】
【図１】第１の実施形態に係る包装箱を示す斜視図である。
【図２】図１に示す包装箱を構成する台紙を示す平面図である。
【図３】図２に示す台紙を用いて包装箱を組み立てる手順を示す平面図である。
【図４】図２に示す台紙を用いて包装箱を組み立てる手順を示す平面図である。
【図５】図２に示す台紙を用いて包装箱を組み立てる手順を示す平面図である。
【図６】図１に示す包装箱の封止状態を示す正面図である。
【図７】ロック部を引き上げて第２シート部から切り離した状態を示す包装箱の正面図である。
【図８】被押し込み部を内側に押し込んで第１シート部から切り離した状態を示す包装箱の正面図である。
【図９】図６〜図８に示す各状態の包装箱を模式的に示す断面図である。
【図１０】第２の実施形態に係る包装箱を示す図７と同様の正面図である。
【図１１】第３の実施形態に係る包装箱を示す斜視図である。
【図１２】図１１に示す包装箱を構成する台紙を示す平面図である。
【図１３】第４の実施形態に係る包装箱を示す斜視図である。
【図１４】図１３に示す包装箱を構成する台紙を示す平面図である。
【図１５】図１３に示す包装箱のロック部を引き上げて第２シート部から切り離し、折返し部を開いた状態を示す正面図である。
【図１６】第５の実施形態に係る包装箱を示す図７と同様の正面図である。
【図１７】図１６に示す包装箱を構成する台紙を示す平面図である。
【発明を実施するための形態】
【００１０】
以下、図面を参照しながら、本発明の実施形態について説明する。なお、以下の説明において、「上」、「下」、「上下」、「左」、「右」、「左右」等の方向を示す用語は、特段の説明がある場合を除いて、組み立てられて封止された状態の包装箱を正面側から見た場合の方向を指すものとする。
【００１１】
［第１の実施形態］
図１に示すように、第１の実施形態に係る包装箱１は、上面及び底面に開口部を有する角筒状の周壁部２０と、包装箱１の上面側を封止する上面蓋片６と、包装箱１の底面側を封止する底面蓋片７とを備える。包装箱１は、上面側および底面側が封止された状態において、略直方体の形状を有する。
【００１２】
周壁部２０は、正面部２と、正面部２に対向する背面部３と、正面部２と背面部３に跨がる一対の側面部４，５と、を有する。背面部３の下端には、例えば一対の突出部１０ａ，１０ｂが設けられている。そのため、包装箱１の底面を水平面に載置したとき、包装箱１は、正面部２の下端全体と、一対の突出部１０ａ，１０ｂの下端との３点で接地されることで、起立状態に維持されやすい。各側面部４，５の上端には、上面蓋片６の内側に折り込まれる上面フラップ８ａ，８ｂが連ねて設けられ、各側面部４，５の下端には、底面蓋片７の内側に折り込まれる底面フラップ９ａ，９ｂが連ねて設けられている。
【００１３】
正面部２の外側の面には、包装箱１を開封する人の指によって外側から押し込まれる被押し込み部１１ａが設けられている。被押し込み部１１ａは、正面部２の上縁部に設けられている。また、正面部２の外側の面には、被押し込み部１１ａの縁部に沿って第１切取線２１が設けられている。第１切取線２１は、ミシン目状に並ぶ複数の切り込みで構成されている。第１切取線２１は、正面部２の上縁に略平行に延びる横線部２１ａと、横線部２１ａの両端から正面部２の上縁部まで上方へ延びる一対の縦線部２１ｂ，２１ｃとを有し、全体として略Ｕ字状に形成されている。被押し込み部１１ａが外側から押し込まれて、第１切取線２１に沿って正面部２から切り離されると、包装箱１は開封される。包装箱１が開封されると、被押し込み部１１ａが正面部２から切り離されたことが開封の痕跡として一目で分かるため、人為的な異物の混入や改変などの改ざんを容易に防止できる。
【００１４】
被押し込み部１１ａの裏面側には、被押し込み部１１ａが第１切取線２１に沿って容易に切り離されることを防止するためのロック部３０が設けられている。開封の際、被押し込み部１１ａは、先ず、第１切取線２１の横線部２１ａに沿った部分から切り離されることになる。この点を考慮して、ロック部３０は、横線部２１ａに沿った被押し込み部１１ａの切り離しを阻止するように構成されており、横線部２１ａは、ロック部３０によって切断がロックされる被ロック部として機能する。したがって、以下の説明では、横線部２１ａを「被ロック部２１ａ」ともいう。
【００１５】
ロック部３０を構成するために、正面部２は３層のシート部で構成されているが、正面部２の各シート部の構成については後に説明する。
【００１６】
上面蓋片６は、背面部３の上端に連なる上面部６ａと、該上面部６ａの先端に連なる差し込み部６ｂと、を有する。上面蓋片６によって包装箱１の上面側が封止される際、上面部６ａは周壁部２０の上面開口部を塞ぎ、差し込み部６ｂは、正面部２の内側に差し込まれて、被押し込み部１１ａの裏面部分において正面部２に接着される。包装箱１の開封によって、差し込み部６ｂに接着された被押し込み部１１ａが正面部２から切り離されると、正面部２に対する上面蓋片６の接合状態が解消されて、上面蓋片６を開くことが可能になる。
【００１７】
底面蓋片７は、正面部２の下端に連なる底面部７ａと、該底面部７ａの先端に連なる差し込み部７ｂと、を有する。底面蓋片７によって包装箱１の底面側が封止される際、底面部７ａは周壁部２０の底面開口部を塞ぎ、差し込み部７ｂは、背面部３の内側に差し込まれて、背面部３に接着される。これにより、包装箱１の底面は封止される。
【００１８】
図１に示す包装箱１は、図２に示す台紙５０を折り曲げることで組み立てられる。なお、図２は、背面部３、側面部４，５、上面蓋片６、底面蓋片７、上面フラップ８ａ，８ｂ及び底面フラップ９ａ，９ｂの内面側から見た台紙５０の平面図である。
【００１９】
図２に示すように、台紙５０において、背面部３の上側には、折り目Ｆ１３，Ｆ１４を介して上面蓋片６の上面部６ａ及び差し込み部６ｂが順に連ねて設けられている。また、背面部３の左右両側には、折り目Ｆ３，Ｆ５を介して一対の側面部４，５が連ねて設けられている。各側面部４，５の上側には、折り目Ｆ１１，Ｆ１２を介して上面フラップ８ａ，８ｂが連なり、各側面部４，５の下側には、折り目Ｆ７，Ｆ８を介して底面フラップ９ａ，９ｂが連なっている。また、一方の側面部４の側方には、折り目Ｆ６を介して接合シート部１４が連なっている。
【００２０】
また、台紙５０は、正面部２を構成する部分として、第１シート部１１、第２シート部１２及び第３シート部１３を備えている。
【００２１】
第１シート部１１は、組み立てられた状態で包装箱１の正面側に露出する部分である。第１シート部１１の形状は略長方形である。第１シート部１１の上縁部には、被押し込み部１１ａと第１切取線２１とが上述したように設けられている。第１シート部１１は、折り目Ｆ４を介して側面部５の側方に連なっている。また、第１シート部１１の下側には、折り目Ｆ９，Ｆ１０を介して底面蓋片７の底面部７ａ及び差し込み部７ｂが順に連なっている。
【００２２】
第２シート部１２は、折り目Ｆ１を介して第１シート部１１の側方に連なっている。これにより、図２の左側から順に、第２シート部１２、第１シート部１１、側面部５、背面部３、側面部４、接合シート部１４が帯状に連なっている。第２シート部１２は、第１シート部１１の内側に折り重ねられる。
【００２３】
第２シート部１２には、上述のロック部３０と、該ロック部３０を第２シート部１２から切り離すためにロック部３０の縁部に設けられた第２切取線２２とが設けられている。第２切取線２２は、ジッパー状に形成された複数の切り込みで構成されている。第２切取線２２は、下方に膨らむ円弧状部２２ａと、円弧状部２２ａの両端から上向きに拡開するようにそれぞれ斜め上方へ延びる一対の傾斜部２２ｂ，２２ｃとを有する。
【００２４】
第２シート部１２の上縁中央部はロック部３０で構成されている。また、第２シート部１２の上縁には、ロック部３０を挟んだ左右両側において、第２切取線２２の傾斜部２２ｂ，２２ｃに連なって斜め上方に延びる一対の傾斜部１２ａ，１２ｂが設けられている。さらに、第２シート部１２の上縁には、一方の傾斜部１２ａの上端部と折り目Ｆ１とを繋ぐ連結部１２ｃと、他方の傾斜部１２ｂの上端部から第２シート部１２の側縁まで略水平に延びる水平部１２ｄとが設けられている。
【００２５】
ロック部３０は、第２切取線２２の上側に隣接するベース部３２と、ベース部３２の上側に連なる摘まみ部３４とを有する。ロック部３０の周縁には、ベース部３２と摘まみ部３４との境界にくびれ部３５，３６が形成されている。ベース部３２の左右両側には、ロック部３０が第２シート部１２から切り離されたときに第１シート部１１と第３シート部１３との境界の折り目部分に係止可能なストッパ３２ａ，３２ｂが、くびれ部３５，３６よりも横方向外側に突出して設けられている。摘まみ部３４の形状は、上辺よりも下辺の方が長い略台形である。
【００２６】
第３シート部１３は、組み立ての際に図２に示す状態から上下に反転されるが、第３シート部１３の構成に関する次の説明では、上下方向を示す用語を、図２に示す状態での方向を指すものとして使用する。
【００２７】
第３シート部１３は、折り目Ｆ２を介して第１シート部１１の上側に連なっている。第１シート部１１と第３シート部１３との境界には、ロック部３０の摘まみ部３４が貫通するスロット４０が設けられている。これにより、折り目Ｆ２は、スロット４０によって２本に分断されている。スロット４０は、折り目Ｆ２に連なるように延びる長円状に形成されている。
【００２８】
第３シート部１３は、第１シート部１１及び第２シート部１２の内側に折り重ねられる。第３シート部１３には第３切取線２３が設けられている。第３切取線２３は、ミシン目状に並ぶ複数の切り込みで構成されている。第３切取線２３は、折り目Ｆ２に略平行に延びる横線部２３ａと、横線部２３ａの両端から折り目Ｆ２に向かって下方へ延びる一対の縦線部２３ｂ，２３ｃとを有し、全体として逆Ｕ字状に形成されている。
【００２９】
また、第３シート部１３の下縁部には、第３切取線２３で囲まれた区画部１３ａが設けられている。区画部１３ａは、ロック部３０を介して第１シート部１１の被押し込み部１１ａの内側に重ねられる。区画部１３ａは、被押し込み部１１ａよりも一回り大きく形成されており、組み立て状態において、区画部１３ａは、左右の側縁部および下端部が被押し込み部１１ａからはみ出すように被押し込み部１１ａに重ねられる。
【００３０】
図２〜図５を参照しながら、台紙５０を用いて包装箱１を組み立てる手順について説明する。
【００３１】
先ず、図２及び図３に示すように、折り目Ｆ１に沿った折り曲げにより第２シート部１２を第１シート部１１の内側に折り重ねて、被押し込み部１１ａとロック部３０とを避けた部分において第２シート部１２を第１シート部１１に接着する。このように第１シート部１１に第２シート部１２が重ねられた状態において、ロック部３０は、第１切取線２１の被ロック部２１ａに重ねられ、平面視においてロック部３０の摘まみ部３４の上縁部はスロット４０の中に収まるように配置される。
【００３２】
次に、図４に示すように、折り目Ｆ２に沿った折り曲げにより第３シート部１３を第２シート部１２の内側に折り重ねて、ロック部３０と区画部１３ａとを避けた部分において第３シート部１３を第２シート部１２に接着する。このように外側から順に第１シート部１１、第２シート部１２、第３シート部１３が重ねられることで正面部２が形成される。このようにして正面部２が形成された状態において、ロック部３０は第１シート部１１と第３シート部１３との間に挟み込まれるが、摘まみ部３４はスロット４０を貫通し、摘まみ部３４の上縁部は外側に露出する。
【００３３】
続いて、図５に示すように、折り目Ｆ３に沿った折り曲げにより側面部４及び接合シート部１４を背面部３の内側に折り重ねる。さらに、折り目Ｆ４に沿った折り曲げにより、正面部２及び上面蓋片６を除いた残りの部分を正面部２の内側に折り重ねて、接合シート部１４の外側の面を正面部２の内側の面、具体的には、図５における第２シート部１２の左端部に接着する。これにより、折り畳み状態の包装箱１が完成する。
【００３４】
その後、折り目Ｆ３，Ｆ４，Ｆ５，Ｆ６に沿った周壁部２０の４つのコーナーを略直角に起こすと、図１に示すように上面および底面が開放した状態の包装箱１が形成される。続いて、底面フラップ９ａ，９ｂを内側へ折り込んだ後、底面蓋片７を折り込んで、底面蓋片７の差し込み部７ｂを背面部３の内側に差し込んで、差し込み部７ｂを背面部３の内面に接着する。これにより、包装箱１の底面が封止される。また、上面フラップ８ａ，８ｂを内側へ折り込んだ後、上面蓋片６を折り込んで、上面蓋片６の差し込み部６ｂを正面部２の内側に差し込んで、差し込み部６ｂを正面部２の内面、具体的には第３シート部１３の区画部１３ａに接着する。これにより、包装箱１の上面が封止されて、封止状態の包装箱１が完成する。
【００３５】
図６〜図９を参照しながら、包装箱１を開封する手順について説明する。
【００３６】
図６は、封止状態の包装箱１を正面から見た図である。図６に示すように、封止状態において、第１シート部１１の第１切取線２１の被ロック部２１ａの内側には、第２シート部１２のロック部３０、具体的には、ロック部３０におけるベース部３２と摘まみ部３４との境界部が重ねられている。この時点で、ロック部３０は、図６及び図９（ａ）に示すように第２シート部１２に一体に設けられており、第２シート部１２は第１シート部１１に接着されているため、第１シート部１１に対してロック部３０が固定された状態となっている。そのため、第１シート部１１の被押し込み部１１ａを外側から押し込んでも、被押し込み部１１ａが第１切取線２１の被ロック部２１ａに沿って切り離されることがロック部３０によって阻止されるため、包装箱１が容易に開封されてしまうことが防止される。
【００３７】
包装箱１の開封は、ロック部３０によるロックを解除することで可能になる。ロック解除を行うためには、図６に示すようにスロット４０を通して正面部２の上方に突出した摘まみ部３４を摘まんで、ロック部３０を引き上げることで、ロック部３０を第２切取線２２に沿って第２シート部１２から切り離す。図９（ｂ）に示すように、ロック部３０の切り離し動作は、第２シート部１２の紙面に平行な方向に沿ってロック部３０を引き上げることで、第２シート部１２からロック部３０を引きちぎる動作であるため、第２切取線２２が設けられているとは言え、ロック部３０の切り離しには大きな力を要する。よって、子供の力ではロック部３０の切り離しが困難であり、子供によるロック解除を防止できるようになっている。
【００３８】
図７に示すように、第２シート部１２から切り離されたロック部３０は、第１シート部１１と第３シート部１３のいずれにも接着されていないため、ロック部３０のストッパ３２ａ，３２ｂが、正面部２の上縁折り返し部分、すなわち、第１シート部１１と第３シート部１３との境界の折り目Ｆ２（図３及び図４等参照）部分に引っ掛かるまで引き上げることができる。ロック部３０は、ストッパ３２ａ，３２ｂが折り目Ｆ２部分に引っ掛かることで、スロット４０を完全に通過することが規制されるため、ロック部３０の脱落を防止できる。
【００３９】
このようにして引き上げられたロック部３０の下端部は、第１切取線２１の被ロック部２１ａよりも上側に配置され得る。これにより、被ロック部２１ａの内側には、ロック部３０及び第２シート部１２のいずれも介在することなく、第３シート部１３の区画部１３ａが直接重ねられる状態となり、ロック部３０によるロック機能が失われる。
【００４０】
このようにロック解除された状態では、図８及び図９（ｃ）に示すように、第１シート部１１の被押し込み部１１ａを外側から押し込むと、被押し込み部１１ａを容易に第１シート部１１から切り離して内側へ押し込むことができる。このとき、第３シート部１３の区画部１３ａも、被押し込み部１１ａ及びロック部３０を介して外側から押し込まれることで、第３切取線２３（図４等参照）に沿って第３シート部１３から切り離されて、被押し込み部１１ａ及びロック部３０と共に内側へ押し込まれる。このようにして、被押し込み部１１ａ、被押し込み部１１ａに連なる区画部１３ａ、及び、被押し込み部１１ａと区画部１３ａとに挟み込まれたロック部３０が正面部２から切り離されることで、包装箱１が開封される。
【００４１】
上述したように、上面蓋片６の差し込み部６ｂは、区画部１３ａに接着されており、区画部１３ａ以外の部分では正面部２に接着されていない。そのため、包装箱１が開封されると、上面蓋片６は、正面部２に拘束されなくなり、開くことが可能になる。
【００４２】
以上のように、本実施形態によれば、包装箱１の開封がロック部３０によってロックされることで、包装箱１が容易に開封されてしまうことを防止できる。そのため、医薬品等の商品を封入する場合など、子供による開封を防止する必要がある場合に、子供による包装箱１の開封を防止したり、搬送中や陳列中等に衝撃荷重が加わることによって誤って包装箱１が開封されてしまったりすることを防止できる。
【００４３】
また、本実施形態に係る包装箱１において、ロック部３０によるロックを解除するためには、強い力で引き上げることでロック部３０を第２シート部１２から切り離す必要があり、子供がロック解除することは困難となっている。このように、包装箱１はチャイルドレジスタンス機能を有するため、包装箱１に例えば医薬品等が包装されている場合、子供が包装箱１を開封して医薬品等を誤飲することを防止できる。
【００４４】
さらに、ロック解除のためにロック部３０を引き上げたとき、ロック部３０の摘まみ部３４の略全体が露出するため、摘まみ部３４に、包装箱１の内容物に関する説明等を印刷等により表示しておくことで、その表示内容を開封者に効果的に伝えることができる。例えば、医薬品を包装した包装箱１において、医薬品の服用に関する注意書きを摘まみ部３４に印刷しておけば、この摘まみ部３４を摘まんでロック解除を行った人に対して、効果的に注意喚起することができる。
【００４５】
［第２の実施形態］
図１０を参照しながら、第２の実施形態に係る包装箱１０２について説明する。なお、第２の実施形態において、第１の実施形態と同様の構成及び効果については説明を省略する。また、図１０において、第１の実施形態と同様の機能を有する部材には同符号を付してある。
【００４６】
図１０は、ロック部３０が第２シート部１２から切り離されたロック解除状態の包装箱１０２を正面から見た図である。
【００４７】
図１０に示すように、第２の実施形態に係る包装箱１０２では、摘まみ部３４に、商品陳列用の什器のフック等、包装箱１０２を吊り下げるための吊り下げ部材（図示せず）に係合可能な係合穴１６０が設けられている。係合穴１６０は、ロック状態では第１シート部１１の内側に重ねられ、ロック解除によりロック部３０が引き上げられた状態では第１シート部１１よりも上方に露出可能となっている。
【００４８】
この係合穴１６０を備えた包装箱１０２を用いる場合、商品の搬送中や保管中等には、ロック部３０が第２シート部１２に一体に連なったロック状態を維持しておき、商品を陳列するときに、ロック部３０を引き上げて第２シート部１２から切り離すようにすればよい。
【００４９】
これにより、商品の搬送中や保管中には、ロック部３０の上方への突出量が抑制されることで省スペース化が図られるとともに、包装箱１０２が誤って開封されてしまうことをロック部３０によって阻止することができる。
【００５０】
また、商品の陳列の際には、第２シート部１２からロック部３０が切り離されることで、摘まみ部３４の係合穴１６０を引き出すことができるとともに、引き上げられたロック部３０のストッパ３２ａ，３２ｂは、第１シート部１１と第３シート部１３との境界の折り目Ｆ２（図３及び図４等参照）部分に係止される。そのため、什器のフック等の吊り下げ部材を摘まみ部３４の係合穴１６０に通すことで、包装箱１０２を吊り下げた状態で陳列することができる。
【００５１】
なお、上記のように包装箱１０２を吊り下げた状態で陳列する場合、ロック部３０によるロックが解除され、子供でも容易に包装箱１０２を開封できる状態で商品が陳列されることになるため、第２の実施形態に係る包装箱１０２は、チャイルドレジスタンスの必要がない商品を包装する場合に好適に利用される。
【００５２】
また、第２の実施形態では、摘まみ部３４に係合穴１６０を設ける場合について説明したが、吊り下げ部材に係合可能な係合部であれば、例えば、吊り下げ部材に引っ掛けられるフック部等、穴以外の係合部を摘まみ部３４に設けるようにしてもよい。
【００５３】
［第３の実施形態］
図１１及び図１２を参照しながら、第３の実施形態に係る包装箱１０３について説明する。なお、第３の実施形態において、第１の実施形態と同様の構成及び効果については説明を省略する。また、図１１及び図１２において、第１の実施形態と同様の機能を有する部材には同符号を付してある。
【００５４】
図１１に示す包装箱１０３は、図１２に示す台紙１５３を用いて組み立てられる。図１１及び図１２に示すように、第３の実施形態では、底面蓋片７が、正面部２ではなく、背面部３に連ねて設けられており、この点で第１の実施形態と異なる。具体的には、背面部３の下側に、折り目Ｆ１０９，Ｆ１１０を介して底面蓋片７の底面部７ａ及び差し込み部７ｂが順に連ねて設けられている。
【００５５】
第３の実施形態によれば、上面蓋片６と底面蓋片７がいずれも背面部３に連ねて設けられているため、包装箱１０３の封止状態において、上面蓋片６及び底面蓋片７はいずれも正面部２の内側に差し込まれることになる。正面部２に対する蓋片６，７の差し込み部分は、背面部３と蓋片６，７との連続部分に比べて意匠性に劣るため、この意匠性に劣る差し込み部分を有する正面部２を裏側に配置し、意匠性に勝る背面部３が正面を向くようにして陳列することで、陳列時の包装箱１０３の外観を良好にすることができる。
【００５６】
また、第３の実施形態において、第２の実施形態と同様、吊り下げ部材に係合可能な係合部を摘まみ部３４に設けて、包装箱１０３を吊り下げた状態で陳列できるようにしてもよい。この場合、摘まみ部３４が設けられた正面部２が奥側に配置され、背面部３が手前側に配置されるように、吊り下げ部材に包装箱１０３を吊り下げることで、意匠的に優れた背面部３が正面を向いた状態で陳列することができる。
【００５７】
［第４の実施形態］
図１３〜図１５を参照しながら、第４の実施形態に係る包装箱１０４について説明する。なお、第４の実施形態において、第１の実施形態と同様の構成及び効果については説明を省略する。また、図１３〜図１５において、第１の実施形態と同様の機能を有する部材には同符号を付してある。
【００５８】
図１３に示す包装箱１０４は、図１４に示す台紙１５４を用いて組み立てられる。図１４に示すように、第４の実施形態では、摘まみ部３４の先端に、該摘まみ部３４の外側に折り重ねられる折返し部１２０が、折り目Ｆ１２０を介して連ねて設けられている。折返し部１２０は、摘まみ部３４と上下対称の形状であることが好ましく、これにより、折返し部１２０と摘まみ部３４とは、互いにはみ出すことなく折り重なることができる。上下方向の寸法に関して、折返し部１２０は、摘まみ部３４と略同じ大きさを有するが、摘まみ部３４よりも短くてもよい。摘まみ部３４と折返し部１２０との境界の左右両端部にはくびれ部１２１，１２２が設けられている。
【００５９】
台紙１５４を折り曲げて包装箱１０４を組み立てる際は、先ず、折り目Ｆ１２０に沿った折り曲げにより摘まみ部３４の内側に折返し部１２０を折り重ねた後に、折り目Ｆ１に沿った折り曲げにより第１シート部１１の内側に第２シート部１２を折り重ねる。これにより、折返し部１２０は、摘まみ部３４の外側に折り重ねられ、且つ、第１シート部１１の被押し込み部１１ａと摘まみ部３４との間に挟み込まれた状態となる。以降、この状態が維持されたまま、第１の実施形態と同様の手順で組み立てることで、図１３に示す包装箱１０４を形成することができる。
【００６０】
図１３に示すように、組み立て状態において、折返し部１２０は、摘まみ部３４の外側に折り重ねられた状態で、摘まみ部３４と共にスロット４０を貫通し、摘まみ部３４と折返し部１２０との境界及びその近傍部がスロット４０の上方に露出する。台紙１５４において、図１４に図示された表側の面を第１の面、図示されていない裏側の面を第２の面とした場合、上述した組み立ての際には、摘まみ部３４の第１の面に折返し部１２０の第１の面が折り重ねられることになり、図１３に示す組み立て状態では、摘まみ部３４及び折返し部１２０の第２の面のみが露出することになる。そのため、台紙１５４の第２の面を印刷面とした場合、摘まみ部３４及び折返し部１２０の印刷面のみを露出させることができ、この露出部分の意匠性を高めることができる。
【００６１】
ロック部３０によるロックを解除するときは、摘まみ部３４及び折返し部１２０の露出部分を摘まんで強い力でロック部３０を引き上げることで、第１の実施形態と同様、ロック部３０を第２シート部１２から切り離すことができる。
【００６２】
折返し部１２０にはロック部３０のようなストッパが設けられていない。また、上述したように、上下方向の寸法に関して、折返し部１２０は、摘まみ部３４と比べて同じか又は短い。そのため、ロック部３０のストッパ３２ａ，３２ｂが、正面部２の上縁折返し部分、すなわち、第１シート部１１と第３シート部１３との境界の折り目Ｆ２（図１４参照）部分に係止されるまでロック部３０を引き上げると、折返し部１２０はスロット４０を通過し、折返し部１２０全体が包装箱１０４の外側に引き出される。
【００６３】
折返し部１２０が完全に引き出されると、図１５に示すように、摘まみ部３４の外側に折り畳まれた折返し部１２０を開いて、折返し部１２０及び摘まみ部３４を上下に連なるように拡げることができる。したがって、折返し部１２０及び摘まみ部３４に跨がって、内容物に関する説明等を表示することで、この表示面積を拡大することができ、これにより、注意喚起の効果を高めたり、表示内容の情報量を増やしたりすることができる。
【００６４】
［第５の実施形態］
図１６及び図１７を参照しながら、第５の実施形態に係る包装箱１０５について説明する。なお、第５の実施形態において、第１の実施形態と同様の構成及び効果については説明を省略する。また、図１６及び図１７において、第１の実施形態と同様の機能を有する部材には同符号を付してある。
【００６５】
図１６は、ロック部３０が第２シート部１２から切り離されたロック解除状態の包装箱１０５を正面から見た図である。この包装箱１０５は、図１７に示す台紙１５５を用いて組み立てられる。
【００６６】
図１７に示すように、第５の実施形態では、第４の実施形態と同様、摘まみ部３４の先端に、該摘まみ部３４の外側に折り重ねられる折返し部１３０が、折り目Ｆ１３０を介して連ねて設けられている。折返し部１３０は、摘まみ部３４と上下対称の形状であることが好ましく、これにより、折返し部１３０と摘まみ部３４とは、互いにはみ出すことなく折り重なることができる。摘まみ部３４と折返し部１３０との境界の左右両端部にはくびれ部１３１，１３２が設けられている。
【００６７】
折り返し部１３０の上側には、延長部１３４が一体に連ねて設けられている。折返し部１３０と延長部１３４との境界の左右両端部にはくびれ部１３５，１３６が設けられている。延長部１３４の左右両端部には、ロック部３０が第２シート部１２から切り離されたときに第１シート部１１と第３シート部１３との境界の折り目Ｆ２部分に係止可能なストッパ１３４ａ，１３４ｂが設けられている。
【００６８】
また、図１６に示すように、包装箱１０５は、第２の実施形態と同様、商品陳列用の什器のフック等、包装箱１０５を吊り下げるための吊り下げ部材（図示せず）に係合可能な係合穴１４０を備えている。そのため、この係合穴１４０にフック等の吊り下げ部材を通すことで、包装箱１０５を吊り下げた状態で陳列することができる。係合穴１４０は、図１７に示すように台紙１５５に形成された第１の穴１４０ａと第２の穴１４０ｂとが重ね合わされて形成される。具体的に、第１の穴１４０ａは摘まみ部３４に形成され、第２の穴１４０ｂは折返し部１３０に形成されている。
【００６９】
台紙１５５を折り曲げて包装箱１０５を組み立てる際は、先ず、折り目Ｆ１３０に沿った折り曲げにより摘まみ部３４の内側に折返し部１３０を折り重ねる。これにより、第１の穴１４０ａと第２の穴１４０ｂとが互いに位置合わせされて、係合穴１４０（図１６参照）が形成される。続いて、折り目Ｆ１に沿った折り曲げにより第１シート部１１の内側に第２シート部１２を折り重ねる。これにより、折返し部１３０は、摘まみ部３４の外側に折り重ねられ、且つ、第１シート部１１の被押し込み部１１ａと摘まみ部３４との間に挟み込まれた状態となる。また、延長部１３４は、ロック部３０のベース部３２の外側に重ねられ、且つ、第１シート部１１とベース部３２との間に挟み込まれた状態となる。さらに、折返し部１３０のストッパ１３４ａ，１３４ｂは、ロック部３０のストッパ３２ａ，３２ｂの外側に重ねられ、且つ、第１シート部１１とストッパ３２ａ，３２ｂとの間に挟み込まれた状態となる。以降、これらの状態が維持されたまま、第１の実施形態と同様の手順で組み立てることで、包装箱１０５を形成することができる。
【００７０】
図１６に示すように、組み立て状態の包装箱１０５では、第４の実施形態と同様、折返し部１３０は、摘まみ部３４の外側に折り重ねられた状態で、摘まみ部３４と共にスロット４０を貫通する。また、図示は省略するが、ロック部３０が第２シート部１２から切り離されていないロック状態では、摘まみ部３４と折返し部１３０との境界及びその近傍部がスロット４０の上方に露出する。そのため、図１７における台紙１５５の裏側の面を印刷面とした場合、第４の実施形態と同様、摘まみ部３４及び折返し部１３０の印刷面のみを露出させることができ、この露出部分の意匠性を高めることができる。
【００７１】
ロック部３０によるロックを解除するときは、摘まみ部３４及び折返し部１３０の露出部分を摘まんで強い力でロック部３０を引き上げることで、第１の実施形態と同様、ロック部３０を第２シート部１２から切り離すことができる。
【００７２】
上述したように、折返し部１３０には、第４の実施形態と異なり、ストッパ１３４ａ，１３４ｂが設けられている。そのため、ロック部３０を最大限引き上げたとき、ロック部３０のストッパ３２ａ，３２ｂだけでなく、折返し部１３０のストッパ１３４ａ，１３４ｂも、正面部２の上縁折返し部分、すなわち、第１シート部１１と第３シート部１３との境界の折り目Ｆ２（図１７参照）部分に係止される。したがって、ロック部３０が引き上げられた状態においても、摘まみ部３４の外側に折返し部１３０が重ね合わされた状態が維持される。
【００７３】
よって、摘まみ部３４と折返し部１３０とが重ね合わされた部分の係合穴１４０にフック等の吊り下げ部材が通されることになるため、係合穴１４０周縁部の強度を高めることができる。また、図１７における台紙１５５の裏側の面のみを印刷面とした場合、ロック部３０を引き上げた状態でも、摘まみ部３４及び折返し部１３０の印刷面のみが露出することになるため、この露出部分の意匠性が高められるとともに、包装箱１０５の内容物に関する説明等の印刷表示を、摘まみ部３４と折返し部１３０の両面に付すことが可能になる。
【００７４】
なお、第５の実施形態において、係合穴１４０に代えて、例えば、吊り下げ部材に引っ掛けられるフック部等、穴以外の係合部を設けるようにしてもよい。また、第５の実施形態において、係合穴１４０を省略することも可能である。この場合、包装箱１０５を吊り下げた状態で陳列することはできないが、上述したように、ロック部３０を引き上げる前後のいずれにおいても、摘まみ部３４及び折返し部１３０の印刷面のみを露出させて、意匠性を高める効果を得ることができる。
【００７５】
以上、上述の実施形態を挙げて本発明を説明したが、本発明は上述の実施形態に限定されるものではない。
【００７６】
例えば、上述の実施形態では、ロック部３０を備えた正面部２が３層のシート部で構成される場合について説明したが、本発明は、２層または４層以上のシート部で正面部２を構成することを妨げるものでない。
【００７７】
また、上述の実施形態では、略直方体の包装箱に本発明を適用する場合について説明したが、本発明において、包装箱の全体形状は特に限定されるものでない。
【産業上の利用可能性】
【００７８】
以上のように、本発明によれば、開封用の切取線を有する包装箱に、容易に開封されてしまうことを防止するロック機能を持たせることが可能となるため、気付け薬等の使い切りタイプの医薬品、特に、子供による誤飲防止が特に要求される医薬品を包装する包装箱に好適に利用される可能性がある。
【符号の説明】
【００７９】
１，１０２，１０３，１０４，１０５    包装箱
２                  正面部
３                  背面部
４，５              側面部
６                  上面蓋片
７                  底面蓋片
１１                第１シート部
１１ａ              被押し込み部
１２                第２シート部
１３                第３シート部
１３ａ              区画部
２０                周壁部
２１                第１切取線
２１ａ              第１切取線の被ロック部
２２                第２切取線
２３                第３切取線
３０                ロック部
３２                ベース部
３２ａ，３２ｂ      ロック部のストッパ
３４                摘まみ部
４０                スロット
５０，１５３，１５４，１５５    台紙
１２０，１３０      折返し部
１３４ａ，１３４ｂ  折返し部のストッパ
１４０，１６０      係合穴（係合部）
【図１】
2014227226.tif 000003
【図２】
2014227226.tif 000004
【図３】
2014227226.tif 000005
【図４】
2014227226.tif 000006
【図５】
2014227226.tif 000007
【図６】
2014227226.tif 000008
【図７】
2014227226.tif 000009
【図８】
2014227226.tif 000010
【図９】
2014227226.tif 000011
【図１０】
2014227226.tif 000012
【図１１】
2014227226.tif 000013
【図１２】
2014227226.tif 000014
【図１３】
2014227226.tif 000015
【図１４】
2014227226.tif 000016
【図１５】
2014227226.tif 000017
【図１６】
2014227226.tif 000018
【図１７】
2014227226.tif 000019